(57)【特許請求の範囲】
【請求項１】
マンホール上蓋孔に挿入できる本体と、本体に挿入できる異形ヘッドを有するボルトと、ボルトの一端に螺着されたナットにより構成されるマンホール上蓋孔閉塞装置において、ボルトが本体に穿設された長孔に挿入され、ボルトヘッドが本体の一端部に設置された鍔部の凹陥に収容されると共に、本体の他端に長孔の長手方向に沿って斜部が設置され、ナットの一端部が本体の斜部対応する斜面を有し且つ他端部に近接してボルト端部上にナットの抜け止めが設置されている、マンホール上蓋孔閉塞装置。
【発明の詳細な説明】
【０００１】
【発明が属する技術分野】
本発明は、路面に露出するマンホール上蓋の冶具差入れ用の孔を閉鎖するための、マンホール上蓋孔閉塞装置に関するものである。
【０００２】
【従来の技術】
従来から、マンホールの上蓋が不都合に開閉されないように、マンホール上蓋開閉のための手掛りとなる孔を閉鎖する各種装置が公知である。たとえばそのような装置の公知例として、実公平７−１６７６８あるいは実公平７‐５４３５４などが開示されており、これらは特殊な先端形状を有する冶具によらなければ操作できないヘッドを有するボルトを利用して上蓋孔に閉鎖用の金具を固定する形式を採用している。
【０００３】
マンホールの上蓋はその重量が極めて大であるため、平面略楕円形の上蓋孔にたとえば手鈎のようなものを差し込んで上蓋の裏側にその先端を引っ掛け、それによって上蓋を引き起こして開放するが、この上蓋孔が閉鎖されていれば開閉のための手掛りがなくなり、不都合な開閉は不可能になるというのが前記の公知例の出発点となっている。
【０００４】
上蓋孔を閉鎖するための手段として、特殊形状のボルトが採用されていることは前述したが、ボルトの回動によって移動せしめられるナットは、前者の公知例の場合には上蓋孔と略同形状であり、ボルトの締め上げによって上蓋構内を摺動してボルトヘッドに近接しようとするナットが、ボルトヘッドとナットの間に介置された弾性体を変形させて上蓋孔の内部壁面を押圧せしめるようにし、弾性体と上蓋孔の内部壁面との摩擦によって、ボルトを固定している。
【０００５】
また、後者の公知例の場合には、ナット自体も特殊形状を有しており、上蓋孔から上蓋の裏面に突出したナットが、ボルトの回動によって上蓋の裏面にとどまり、ボルトの締め上げによってボルトヘッドに近接しようとするナットが上蓋裏面に当接して、ボルトヘッドとナットの間に上蓋を挟支することによって、ボルトの固定が行われる。
【０００６】
【発明が解決しようとする課題】
このような装置に関して発生する問題は、装置がかなりの長期間に亘って概ね屋外の路上に設置され、その上を通過する車両の速度と重量を受け続けることならびに長期間に亘って屋外の天候変化を受け続けることである。このように過酷な使用条件は、前者の公知例において固定のために使用された弾性体を劣化させ、固定のために必要な上蓋孔内部壁面との摩擦力を徐々に低下させるとともに、最悪の場合には上蓋孔から装置が脱落してしまうこともあり、また、作業などの必要性から装置を一旦脱離させると、弾性体は再使用できない状態になっており、新たな閉塞装置を適用しなくてはならない。
【０００７】
また、後者の公知例の場合には、固定によってナットが上蓋裏面に強固に当接しているので、たとえば自動車通過の際の車輪圧力がボルトヘッドに加えられた場合、ボルトにはナット上端を支点とした横方向への圧力が加えられることになり、長期間に亘ってこれが繰り返されるとボルトの曲がりが助長され、装置を脱離するためのボルト回動が不可能なほどにボルトが彎曲してしまう事態が避けられない。これら公知例以外の現行品も概ねマンホール上蓋孔に挿入したボルトによって、上蓋の裏面に突出した掛け金を引き付け、ボルトの回動によってボルトと掛け金の間に上蓋を強力ん挟みこんで固定を行う方式であるので、ボルトに車輪圧力が繰り返し加えられると、固定が強力であればあるほどボルトの曲がりが避けられず、結果的にボルトの回動が不可能になる不都合が存在した。
【０００８】
これら公知例に対して本件発明は、高い耐候性を有し且つ外部からの物理的圧力に対応できる新規の閉塞装置を提供することを目的とする。
【０００９】
【課題を解決するための手段】
特殊なレンチ等で操作できるボルトヘッドを利用することは、この種の装置に要求される高い強度と簡単な構造の獲得の面から、望ましい発想である。また、ボルトの変形を防止する観点からは、固定を摩擦力により達成する形式が望ましい。更に、摩擦力を得る手段が弾性体ではなく金属製のブロックであることも耐候性を考慮し加えて経時変化に対抗するために重要である。
【００１０】
そのような装置を実現するため、本発明においては異形のヘッドを有するボルトを採用し、ナットはマンホール上蓋孔内を移動するとともに移動量の変化によってその内部壁面に密接することができる形式にする。更に、上蓋孔上面を覆う鍔部を有する本体に前記ボルトが挿通されボルトの軸線に対して放射方向の一方向にのみ移動が可能なように長孔を穿設し、前記鍔部内の凹陥部にボルトヘッドが収容されるようにしておく。
【００１１】
一本のボルトによって連接された本体とナットの断面は、マンホール上蓋孔にわずかな余裕を以って挿入できる形状であるとともに、ボルトの回動は本体に対しては影響を与えることなく自在であり、ナットに対してはそれを上蓋孔内部で移動させるように配置しておく。
【００１２】
また、本体とナットの互いに対向する面をボルトの軸線に対して互いに他と同一の角度を有する斜面により形成し、ボルトの締め上げによってナットが本体に引き付けられ、本体に当接するとナットが本体の斜面に沿ってボルトの軸線に対して放射方向へ移動するように配置し、ナットの前記放射方向への移動によって本体から側面方向へ突出したナットが、上蓋孔の内面側壁に圧接する用に配置しておく。
【００１３】
この場合のナットの放射方向への移動は同一方向へのボルトの移動をも発生させるが、その移動は本体に穿設された長孔の長手方向に沿って行われるように本体およびナットの斜面の形成方向を長孔の長手方向に合致させることによって、ボルトの移動余地を確保させることができる。
【００１４】
【発明の実施の形態】
図面に従って本発明装置の実施例を説明すると、図中１は本体、２はナット、３はボルトを示している。本体１はその軸方向の一端に鍔部４を備えており、また本体１の長手方向に沿って断面略楕円形の長孔５が貫通穿設されている。同時に、鍔部４に開口する長孔５の周囲には凹陥６が凹設されており、長孔５に挿入されたボルト３の異形（図示例の場合には五角形）のボルトヘッド３ａがこの凹陥６の凹部に収容される。７はボルトヘッド３ａと本体１の間に設置された座金である。
【００１５】
長孔５に挿入されたボルト３は長孔５内でその長手方向に沿って移動が許されている。本体１はマンホール上蓋孔に挿入可能で且つ挿入後に大きくがたつかないように寸法を定められており、マンホール上蓋孔の平面が略楕円形の場合には本体１の断面も図示のごとく略楕円形となる。本体１の他端は、本体１の断面楕円形の長手方向の側面に直角に切断された斜面８が形成されている。
【００１６】
ボルトヘッド３ａを凹陥６の内部において長孔５に挿入されたボルト３の端部にはナット２が螺着されており、ボルト３の突出端部には座金を介して割りピン９が挿通され、ナット２の脱落を防止している。更にナット２には本体１の斜面８に平行に削設された斜部１０が設けられている。
【００１７】
作用につき説明すると、まず、断面略楕円形の本体１およびナット２を、ボルト３を十分に緩めた状態（図１の状態）にして、マンホールの上蓋孔に挿入する。前述のごとく本体１は上蓋孔に挿入できるがそのガタツキは僅かで、本体１の鍔部４が上蓋孔の開口部を被覆する。
【００１８】
次に、異形のボルトヘッド３ａをこれに適合するレンチなどにより回動すると、ボルト３が締め上げられてこれに螺着されているナット２を本体１に引き付ける。それによってナット２の斜部１０が本体１の斜面８に当接するが、更にボルト３が締め上げられると、ナット２は本体１の斜面８に沿ってボルト３の軸方向と直角の方向へ押し出される。これによって、断面略楕円形の本体１とナット２の長手方向の径が増加することになり、ナット２の側面（図２において下方の部分）が上蓋孔の内側面に当接し、更にボルト３を一杯に締め上げることにより、ナット２の側面が上蓋孔の内側面に強力に圧接する。ナット２が上蓋孔の内側面に強力に圧接することにより、両者間に大きな摩擦力が発生し、それによってマンホール上蓋孔が閉塞される。
【００１９】
ボルト３の締め上げによりナット２が本体１の断面の長手方向へ移動するために、ボルト３は前述のごとく本体１の略楕円径の長孔５内に挿入されており、長孔５平面の略楕円径の長手方向の距離を移動することが許されることになる。
【００２０】
以上のように設置された本発明装置をマンホール上蓋孔から除去するには、設置の際と同じレンチを使用してボルト３を緩めるが、設置の際の締め上げによってナット２は上蓋孔の内側面と本体１の斜面８の間にクサビ状に進入して大きな摩擦力を維持しているので、ボルト３の緩めによってナット２が移動することはなく、固定状態にあるナット２からボルト３が抜け出して本体１の鍔部４から突出することになる。この突出量はボルト３の先端部に設置された抜け止めの割ピン９によって制限されているので、ボルト３の突出はその制限の範囲で行われ、割ピン９が座金を介してナット２に当接したころで停止する。
【００２１】
ボルトヘッド３ａが鍔部４から突出して停止したなら、このボルトヘッド３ａを鍔部４の凹陥６内へ軽く打ち込んでやれば、本体１の斜面８と上蓋孔の内側面の間で摩擦力により維持されていたナット２がその摩擦を解かれて移動し、装置設置前の出発位置に復帰することができる。ボルト３とナット２の螺着状態が使用中の変化で円滑に進行しない場合には、ボルト３の緩めとボルトヘッド３ａの打ち込みを何回かに分けて行えば、前述と同様にナット２の位置を急に服することができ、ナット２が旧位置に復帰したら、鍔部４をもって全体を上蓋孔から抜去すれば、上蓋孔を開口させることができる。
【００２２】
本発明装置の材質は防錆性の高い金属であることが望ましいが、強度的な問題が解決されるなら強化合成樹脂等も使用できることは勿論である。
【００２３】
【発明の効果】
以上のごとく本発明によると、固定のために使用するボルトが本体の長孔の内部に収容されているので、本体特に鍔部に外力が作用しても、その力は直接ボルトに影響を与えることなく長孔の余裕の範囲で解放されるので、従来装置で多々見うけられたボルトの変形による装置の脱離不能の状態が発生する恐れがなく、構造は簡単であるが作用は確実な効果がある。
【図面の簡単な説明】
【図１】本発明実施例の未設置状態の側面図である。
【図２】本発明実施例の設置状態の側面図である。
【図３】本発明実施例の未設置状態のの平面図である
【図４】本発明実施例の設置状態の平面図である。
【図５】本発明実施例の本体部分の平面図である。
【図６】本発明実施例の本体部分の底面図である。
【符号の説明】
１    本体
２    ナット
３    ボルト
３ａ  ボルトヘッド
４    鍔部
５    長孔
６    凹陥
７    座金
８    斜面
９    割ピン
１０    斜部
【図１】
0003728557.tif 000002
【図２】
0003728557.tif 000003
【図３】
0003728557.tif 000004
【図４】
0003728557.tif 000005
【図５】
0003728557.tif 000006
【図６】
0003728557.tif 000007